(57)【要約】      （修正有）【課題】端末装置と基地局装置との間において、情報を効率的に伝送する。【解決手段】端末装置は、パラメータＰ−Ｍａｘ２が設定されない場合、パラメータＰ−Ｍａｘに少なくとも基づいてサービングセルｃのための設定最大送信電力を設定し、パラメータＰ−Ｍａｘ２が設定される場合、パラメータＰ−ＭａｘとパラメータＰ−Ｍａｘ２に少なくとも基づいて設定最大送信電力を設定し、設定最大送信電力に少なくとも基づいて、ＰＵＳＣＨ送信のための送信電力およびＰＨの値を計算し、パラメータＰ−ＭａｘとパラメータＰ−Ｍａｘ２のうち、パラメータＰ−Ｍａｘ２が設定または再設定されることに少なくとも基づいてＰＨＲをトリガーし、ＰＨの値を示す情報を送信する。【選択図】図４
2019062343.tif 000002
【特許請求の範囲】
【請求項１】
パラメータＰ−Ｍａｘ２が設定されない場合、パラメータＰ−Ｍａｘに少なくとも基づいてサービングセルｃのための設定最大送信電力ＰＣＭＡＸ，ｃを設定し、
前記パラメータＰ−Ｍａｘ２が設定される場合、前記パラメータＰ−Ｍａｘと前記パラメータＰ−Ｍａｘ２に少なくとも基づいて前記設定最大送信電力ＰＣＭＡＸ，ｃを設定し、
前記設定最大送信電力ＰＣＭＡＸ，ｃに少なくとも基づいて、ＰＵＳＣＨ送信のための送信電力およびＰＨ（Ｐｏｗｅｒ  Ｈｅａｄｒｏｏｍ）の値を計算する送信電力制御部と、
前記パラメータＰ−Ｍａｘと前記パラメータＰ−Ｍａｘ２のうち、前記パラメータＰ−Ｍａｘ２が設定または再設定されることに少なくとも基づいてＰＨＲ（Ｐｏｗｅｒ  Ｈｅａｄｒｏｏｍ  Ｒｅｐｏｒｔ）をトリガーする上位層処理部と、
前記ＰＨの値を示す情報を送信する送信部と、を備える端末装置。
【請求項２】
パラメータＰ−Ｍａｘ２の設定または再設定を指示する情報を、端末装置に送信する送信部と、
ＰＨ（Ｐｏｗｅｒ  Ｈｅａｄｒｏｏｍ）の値を示す情報を、前記端末装置から受信する受信部と、を備え、
前記パラメータＰ−Ｍａｘ２が設定されない場合、前記端末装置によってパラメータＰ−Ｍａｘに少なくとも基づいてサービングセルｃのための設定最大送信電力ＰＣＭＡＸ，ｃが設定され、
前記パラメータＰ−Ｍａｘ２が設定される場合、前記端末装置によって前記パラメータＰ−Ｍａｘと前記パラメータＰ−Ｍａｘ２に少なくとも基づいて前記設定最大送信電力ＰＣＭＡＸ，ｃが設定され、
ＰＵＳＣＨ送信のための送信電力および前記ＰＨの値は、前記端末装置によって前記設定最大送信電力ＰＣＭＡＸ，ｃに少なくとも基づいて計算され、
前記パラメータＰ−Ｍａｘ２の設定または再設定の指示に少なくとも基づいて、前記端末装置においてＰＨＲ（Ｐｏｗｅｒ  Ｈｅａｄｒｏｏｍ  Ｒｅｐｏｒｔｉｎｇ）がトリガーされる基地局装置。
【請求項３】
端末装置の通信方法であって、
パラメータＰ−Ｍａｘ２が設定されない場合、パラメータＰ−Ｍａｘに少なくとも基づいてサービングセルｃのための設定最大送信電力ＰＣＭＡＸ，ｃを設定し、
前記パラメータＰ−Ｍａｘ２が設定される場合、前記パラメータＰ−Ｍａｘと前記パラメータＰ−Ｍａｘ２に少なくとも基づいて前記設定最大送信電力ＰＣＭＡＸ，ｃを設定し、
前記設定最大送信電力ＰＣＭＡＸ，ｃに少なくとも基づいて、ＰＵＳＣＨ送信のための送信電力およびＰＨ（Ｐｏｗｅｒ  Ｈｅａｄｒｏｏｍ）の値を計算し、
前記パラメータＰ−Ｍａｘと前記パラメータＰ−Ｍａｘ２のうち、前記パラメータＰ−Ｍａｘ２が設定または再設定されることに少なくとも基づいてＰＨＲ（Ｐｏｗｅｒ  Ｈｅａｄｒｏｏｍ  Ｒｅｐｏｒｔ）をトリガーし、
前記ＰＨの値を示す情報を送信する通信方法。
【請求項４】
基地局装置の通信方法であって、
パラメータＰ−Ｍａｘ２の設定または再設定を指示する情報を、端末装置に送信し、
ＰＨ（Ｐｏｗｅｒ  Ｈｅａｄｒｏｏｍ）の値を示す情報を、前記端末装置から受信し、
前記パラメータＰ−Ｍａｘ２が設定されない場合、前記端末装置によってパラメータＰ−Ｍａｘに少なくとも基づいてサービングセルｃのための設定最大送信電力ＰＣＭＡＸ，ｃが設定され、
前記パラメータＰ−Ｍａｘ２が設定される場合、前記端末装置によって前記パラメータＰ−Ｍａｘと前記パラメータＰ−Ｍａｘ２に少なくとも基づいて前記設定最大送信電力ＰＣＭＡＸ，ｃが設定され、
ＰＵＳＣＨ送信のための送信電力および前記ＰＨの値は、前記端末装置によって前記設定最大送信電力ＰＣＭＡＸ，ｃに少なくとも基づいて計算され、
前記パラメータＰ−Ｍａｘ２の設定または再設定の指示に少なくとも基づいて、前記端末装置においてＰＨＲ（Ｐｏｗｅｒ  Ｈｅａｄｒｏｏｍ  Ｒｅｐｏｒｔｉｎｇ）がトリガーされる通信方法。
【発明の詳細な説明】
【技術分野】
【０００１】
本発明は、端末装置、基地局装置、および、通信方法に関する。
【背景技術】
【０００２】
第三世代パートナーシッププロジェクト（3rd Generation Partnership Project: 3GPP）は、第４世代のセルラー移動通信の無線アクセス方式（以下、「Long Term Evolution （LTE、登録商標）」、または、「Evolved Universal Terrestrial Radio Access : EUTRA」と称する。）の標準化作業を行っている（非特許文献１、２、３）。
【０００３】
３ＧＰＰにおいて、第５世代のセルラー移動通信の無線アクセス方式（以下、「NR: New Radio」と称する。）の標準化作業を行っている（非特許文献４、５、６、７）。
【０００４】
ＬＴＥとＮＲにおいて端末装置をＵＥ（User Equipment）と称する。ＬＴＥにおいて基地局装置をｅＮＢとも称する。すなわち、ｅＮＢはＥＵＴＲＡアクセスを提供する。ＮＲにおいて基地局装置をｇＮＢと称する。すなわち、ｇＮＢはＮＲアクセスを提供する。
【０００５】
非特許文献８には、ＭＲ−ＤＣ（Multi Radio access technology Dual Connectivity
）について記載されている。ＭＲ−ＤＣにおいて、複数の受信機と複数の送信機を持つ端末装置は２つの異なるノード（ｅＮＢとｇＮＢ）における２つの個別のスケジューラによって提供される無線リソースを利用する。１つのスケジューラはｅＮＢに配置され、他方のスケジューラはｇＮＢに配置される。ＭＲ−ＤＣにおいて、ｅＮＢとｇＮＢはバックホールを介してコネクトされている。ＭＣ−ＤＣにおいて、ｇＮＢとｅＮＢの少なくとも一方はコアネットワークとコネクトされる。
【先行技術文献】
【非特許文献】
【０００６】
【非特許文献１】"3GPP TS 36.211 V14.3.0 (2017-06)", 23rd June, 2017.
【非特許文献２】"3GPP TS 36.212 V14.3.0 (2017-06)", 23rd June, 2017.
【非特許文献３】"3GPP TS 36.213 V14.3.0 (2017-06)", 23rd June, 2017.
【非特許文献４】"3GPP TS 38.212 V0.1.1 (2017-07)", R1-1712011, 14th July, 2017.
【非特許文献５】"3GPP TS 38.212 V0.0.1 (2017-07)", R1-1712014, 14th July, 2017.
【非特許文献６】"3GPP TS 38.213 V0.0.1 (2017-07)", R1-1712015, 15th July, 2017.
【非特許文献７】"3GPP TS 38.214 V0.0.1 (2017-07)", R1-1712016, 14th July, 2017.
【非特許文献８】"3GPP TS 37.340 V0.2.0 (2017-06)", 5th June, 2017.
【発明の概要】
【発明が解決しようとする課題】
【０００７】
本発明は効率的に情報が伝送される無線通信システム、該無線通信システムの基地局装置、該無線通信システムの基地局装置、該端末装置に用いられる通信方法、該基地局装置に用いられる通信方法、該端末装置に実装される集積回路、該基地局装置に実装される集積回路を提供する。
【課題を解決するための手段】
【０００８】
（１）本発明の態様は、以下のような手段を講じた。すなわち、本発明の第１の態様は、端末装置であって、パラメータＰ−Ｍａｘ２が設定されない場合、パラメータＰ−Ｍａｘに少なくとも基づいてサービングセルｃのための設定最大送信電力ＰＣＭＡＸ，ｃを設定し、前記パラメータＰ−Ｍａｘ２が設定される場合、前記パラメータＰ−Ｍａｘと前記パラメータＰ−Ｍａｘ２に少なくとも基づいて前記設定最大送信電力ＰＣＭＡＸ，ｃを設定し、前記設定最大送信電力ＰＣＭＡＸ，ｃに少なくとも基づいて、ＰＵＳＣＨ送信のための送信電力およびＰＨ（Ｐｏｗｅｒ  Ｈｅａｄｒｏｏｍ）の値を計算する送信電力制御部と、前記パラメータＰ−Ｍａｘと前記パラメータＰ−Ｍａｘ２のうち、前記パラメータＰ−Ｍａｘ２が設定または再設定されることに少なくとも基づいてＰＨＲ（Ｐｏｗｅｒ  Ｈｅａｄｒｏｏｍ  Ｒｅｐｏｒｔ）をトリガーする上位層処理部と、前記ＰＨの値を示す情報を送信する送信部と、を備える。
【０００９】
（２）本発明の第２の態様は、基地局装置であって、パラメータＰ−Ｍａｘ２の設定または再設定を指示する情報を、端末装置に送信する送信部と、ＰＨ（Ｐｏｗｅｒ  Ｈｅａｄｒｏｏｍ）の値を示す情報を、前記端末装置から受信する受信部と、を備え、前記パラメータＰ−Ｍａｘ２が設定されない場合、前記端末装置によってパラメータＰ−Ｍａｘに少なくとも基づいてサービングセルｃのための設定最大送信電力ＰＣＭＡＸ，ｃが設定され、前記パラメータＰ−Ｍａｘ２が設定される場合、前記端末装置によって前記パラメータＰ−Ｍａｘと前記パラメータＰ−Ｍａｘ２に少なくとも基づいて前記設定最大送信電力ＰＣＭＡＸ，ｃが設定され、ＰＵＳＣＨ送信のための送信電力および前記ＰＨの値は、前記端末装置によって前記設定最大送信電力ＰＣＭＡＸ，ｃに少なくとも基づいて計算され、前記パラメータＰ−Ｍａｘ２の設定または再設定の指示に少なくとも基づいて、前記端末装置においてＰＨＲ（Ｐｏｗｅｒ  Ｈｅａｄｒｏｏｍ  Ｒｅｐｏｒｔｉｎｇ）がトリガーされる。
【００１０】
（３）本発明の第３の態様は、端末装置の通信方法であって、パラメータＰ−Ｍａｘ２が設定されない場合、パラメータＰ−Ｍａｘに少なくとも基づいてサービングセルｃのための設定最大送信電力ＰＣＭＡＸ，ｃを設定し、前記パラメータＰ−Ｍａｘ２が設定される場合、前記パラメータＰ−Ｍａｘと前記パラメータＰ−Ｍａｘ２に少なくとも基づいて前記設定最大送信電力ＰＣＭＡＸ，ｃを設定し、前記設定最大送信電力ＰＣＭＡＸ，ｃに少なくとも基づいて、ＰＵＳＣＨ送信のための送信電力およびＰＨ（Ｐｏｗｅｒ  Ｈｅａｄｒｏｏｍ）の値を計算し、前記パラメータＰ−Ｍａｘと前記パラメータＰ−Ｍａｘ２のうち、前記パラメータＰ−Ｍａｘ２が設定または再設定されることに少なくとも基づいてＰＨＲ（Ｐｏｗｅｒ  Ｈｅａｄｒｏｏｍ  Ｒｅｐｏｒｔ）をトリガーし、前記ＰＨの値を示す情報を送信する。
【００１１】
（４）本発明の第４の態様は、基地局装置の通信方法であって、パラメータＰ−Ｍａｘ２の設定または再設定を指示する情報を、端末装置に送信し、ＰＨ（Ｐｏｗｅｒ  Ｈｅａｄｒｏｏｍ）の値を示す情報を、前記端末装置から受信し、前記パラメータＰ−Ｍａｘ２が設定されない場合、前記端末装置によってパラメータＰ−Ｍａｘに少なくとも基づいてサービングセルｃのための設定最大送信電力ＰＣＭＡＸ，ｃが設定され、前記パラメータＰ−Ｍａｘ２が設定される場合、前記端末装置によって前記パラメータＰ−Ｍａｘと前記パラメータＰ−Ｍａｘ２に少なくとも基づいて前記設定最大送信電力ＰＣＭＡＸ，ｃが設定され、ＰＵＳＣＨ送信のための送信電力および前記ＰＨの値は、前記端末装置によって前記設定最大送信電力ＰＣＭＡＸ，ｃに少なくとも基づいて計算され、前記パラメータＰ−Ｍａｘ２の設定または再設定の指示に少なくとも基づいて、前記端末装置においてＰＨＲ（Ｐｏｗｅｒ  Ｈｅａｄｒｏｏｍ  Ｒｅｐｏｒｔｉｎｇ）がトリガーされる。
【発明の効果】
【００１２】
この発明によれば、ネットワークと端末装置との間で効率的に情報が伝送される。
【図面の簡単な説明】
【００１３】
【図１】本実施形態の無線通信システムの概念図である。
【図２】本実施形態の無線フレームの構成の一例を示す図である。
【図３】本実施形態のスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるセカンダリーノードを追加するための手順の一例を示す図である。
【図７】本実施形態におけるＰＵＳＣＨ送信のための送信電力を決定する方法を示すフロー図である。
【図８】本実施形態におけるＰＨＲの手順を説明するためのフロー図である。
【発明を実施するための形態】
【００１４】
以下、本発明の実施形態について説明する。
【００１５】
図１は、本実施形態の無線通信システムの概念図である。図１において、無線通信システムは、端末装置１、および、ネットワーク３Ａを具備する。ネットワーク３Ａは、コアネットワーク装置３Ｂ、マスターノード３Ｃ、および、セカンダリーノード３Ｄを含んでもよい。マスターノードはｅＮＢとｇＮＢの一方であり、セカンダリーノード３ＤはｇＮＢとｅＮＢの他方である。例えば、マスターノードはｅＮＢであり、且つ、セカンダリーノード３ＤはｇＮＢである。例えば、マスターノード３ＣはｇＮＢであり、且つ、セカンダリーノード３ＤはｅＮＢである。ｅＮＢはＬＴＥ（ＥＵＴＲＡ）アクセスを提供する。ｇＮＢはＮＲアクセスを提供する。マスターノード３Ｃ、セカンダリーノード３Ｄ、ｅＮＢ、および、ｇＮＢを、基地局装置３とも称する。端末装置１、および、基地局装置３を、無線通信装置とも称する。本実施形態においてＥＵＴＲＡを第１の無線アクセス技術とも称する。本実施形態においてＮＲを第２の無線アクセス技術とも称する。
【００１６】
ＭＲ（Multi Radio access technology）−ＤＣ（Dual Connectivity）において、端末装置１は、２つの異なる基地局装置（ｅＮＢとｇＮＢ）における２つの個別のスケジューラによって提供される無線リソース２Ａ、２Ｂを同時に利用する。ＭＲ−ＤＣをＭＣ（Multi Connectivity）とも称する。１つのスケジューラはｅＮＢに配置され、他方のスケジューラはｇＮＢに配置される。ｅＮＢとｇＮＢの何れか１つはマスターノード３Ｃであり、ｅＮＢとｇＮＢの他方はセカンダリーノード３Ｄである。マスターノード３Ｃは、インタフェース２Ｄを介してコアネットワーク装置３Ｂとコネクトされる。インタフェース２Ｄはコントロールプレーンコネクション（control plane connection）を含む。マスターノード３Ｃとセカンダリーノード３Ｄはバックホール２Ｃを介してコネクトされている。マスターノード３Ｃとして動作するｅＮＢをマスターｅＮＢとも称する。マスターノード３Ｃとして動作するｇＮＢをマスターｇＮＢとも称する。セカンダリーノード３Ｄとして動作するｅＮＢをセカンダリーｅＮＢとも称する。セカンダリーノード３Ｄとして動作するｇＮＢをセカンダリーｇＮＢとも称する。
【００１７】
ＭＲ−ＤＣは、ＥＮ−ＤＣ（EUTRA NR Dual Connectivity）とＮＥ−ＤＣ（NR EUTRA Dual Connectivity）を含む。ＥＮ−ＤＣにおいて、端末装置１はマスターｅＮＢとセカンダリーｇＮＢと同時にコネクトされ、マスターｅＮＢはインタフェース２Ｄを介してコアネットワーク装置３Ｂとコネクトされる。ＮＥ−ＤＣにおいて、端末装置１はマスターｇＮＢとセカンダリーｅＮＢと同時にコネクトされ、マスターｇＮＢはインタフェース２Ｄを介してコアネットワーク装置３Ｂとコネクトされる。
【００１８】
端末装置１の状態は、コネクション確立（connection establishment）プロシージャに
よって、ＲＲＣ＿ＩＤＬＥからＲＲＣ＿ＣＯＮＮＥＣＴＥＤに変更されてもよい。端末装置１の状態は、コネクション解放（connection release）プロシージャによって、ＲＲＣ＿ＣＯＮＮＥＣＴＥＤからＲＲＣ＿ＩＤＬＥに変更されてもよい。
【００１９】
ＲＲＣ＿ＣＯＮＮＥＣＴＥＤの端末装置１に対して１つまたは複数のサービングセルが設定されてもよい。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００２０】
１つまたは複数のサービングセルのそれぞれはマスターノード３Ｃまたはセカンダリーノード３Ｄの何れか一方に属する。マスターノード３Ｃに属するサービングセルのグループをＭＣＧ（Master Cell Group）と称する。セカンダリーノード３Ｄに属するサービン
グセルのグループをＳＣＧ（Secondary Cell Group）と称する。
【００２１】
ＭＣＧに属する１つまたは複数のサービングセルは、１つのプライマリーセルと０または０より多いセカンダリーセルを含んでもよい。プライマリーセルは、初期コネクション確立（initial connection establishment）プロシージャが行なわれたセル、コネクション再確立（connection re-establishment）プロシージャを開始したセル、または、ハン
ドオーバプロシージャにおいてプライマリーセルと指示されたセルである。ＲＲＣ（Radio Resource Control）コネクションが確立された時点、または、後に、セカンダリーセルが設定されてもよい。
【００２２】
ＳＣＧに属する１つまたは複数のサービングセルは、１つのプライマリーセカンダリーセルと０または０より多いセカンダリーセルを含んでもよい。ＳＣＧに属する１つまたは複数のサービングセルは、セカンダリーノード３Ｄを追加するための手順において追加される。
【００２３】
本実施形態において、端末装置１は、ＭＣＧのための第１のＭＡＣ（Ｍｅｄｉｕｍ  Ａｃｃｅｓｓ  Ｃｏｎｔｒｏｌ）エンティティとＳＣＧのための第２のＭＡＣエンティティを備えてもよい。本実施形態は、第１のＭＡＣエンティティと第２のＭＡＣエンティティの何れに適用されてもよい。第１のＭＡＣエンティティは、ＥＵＴＲＡのためのＭＡＣエンティティであってもよい。第２のＭＡＣエンティティは、ＮＲのためのＭＡＣエンティティであってもよい。
【００２４】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２５】
端末装置１は、複数のサービングセル（コンポーネントキャリア）において、複数の物理チャネル／複数の物理シグナルの同時送信を行うことができる。端末装置１は、複数のサービングセル（コンポーネントキャリア）において、複数の物理チャネル／複数の物理シグナルの同時受信を行うことができる。
【００２６】
図２は、本実施形態の無線フレームの構成の一例を示す図である。図２において、横軸は時間軸である。
【００２７】
それぞれの無線フレームは、時間領域において連続する１０のサブフレームを含んでもよい。それぞれのサブフレームｉは、時間領域において連続する２つのスロットを含んでもよい。該時間領域において連続する２つのスロットは、無線フレーム内のスロット番号
nsが２ｉのスロット、および、無線フレーム内のスロット番号nsが２ｉ＋１のスロットであってもよい。それぞれの無線フレームは、時間領域において連続する１０のサブフレームを含んでもよい。それぞれの無線フレームは、時間領域において連続する２０のスロット（ns=0,1,…,19）を含んでもよい。上記の無線フレームの構成は、上りリンク、および、下りリンクの両方に適用されてもよい。
【００２８】
１つのサブフレームは１つのスロットであってもよい。
【００２９】
以下、本実施形態のスロットの構成について説明する。図３は、本実施形態のスロットの概略構成を示す図である。図３において、１つのサービングセルにおけるスロットの構成を示す。図３において、横軸は時間軸であり、縦軸は周波数軸である。図３において、ｌはシンボル番号／インデックスであり、ｋはサブキャリア番号／インデックスである。ここで、シンボルは、ＯＦＤＭ（Orthogonal Frequency Division Multiplexing）シンボル、または、ＳＣ−ＦＤＭＡ（Single Carrier Frequency Division Multiple Access）
シンボルであってもよい。NSCは、セルの帯域幅に含まれるサブキャリアの総数である。Nsymbは、１つのスロットに含まれるシンボルの総数である。Nsymbは、サブキャリア間隔
（subcarrier spacing）に基づいて与えられてもよい。
【００３０】
スロットのそれぞれにおいて送信される物理シグナルまたは物理チャネルは、リソースグリッドによって表現される。リソースグリッドは複数のサブキャリアと複数のシンボルによって定義される。リソースグリッド内のエレメントのそれぞれをリソースエレメントと称する。リソースエレメントａｋ，ｌは、サブキャリア番号／インデックスｋ、および、シンボル番号／インデックスｌによって表される。すなわち、物理シグナルまたは物理チャネルの送信のためのリソースは、リソースエレメントによって表現されてもよい。
【００３１】
リソースグリッドは、アンテナポート毎に定義されてもよい。本実施形態では、１つのアンテナポートに対する説明を行う。複数のアンテナポートのそれぞれに対して、本実施形態が適用されてもよい。
【００３２】
無線フレーム、サブフレーム、および、スロットは時間ユニットである。
【００３３】
ＥＵＴＲＡとＮＲの無線フレームの構成は異なってもよい。ＥＵＴＲＡの無線フレームの長さは、ＮＲの無線フレームの長さと同じでもよいし、異なってもよい。ＥＵＴＲＡのスロットの長さは、ＮＲのスロットの長さと同じでもよいし、異なってもよい。ＥＵＴＲＡのＯＦＤＭシンボルの長さは、ＮＲのＯＦＤＭシンボルの長さと同じでもよいし、異なってもよい。
【００３４】
本実施形態の物理チャネルおよび物理シグナルについて説明する。
【００３５】
図１において、ｅＮＢから端末装置１への下りリンク２Ａの無線通信では、以下の下りリンク物理チャネルが用いられる。図１において、ｇＮＢから端末装置１への下りリンク２Ｂの無線通信では、以下の下りリンク物理チャネルが用いられる。下りリンク物理チャネルは、上位層から出力された情報を送信するために、物理層によって使用される。
・ＰＤＣＣＨ（Physical Downlink Control Channel）
・ＰＤＳＣＨ（Physical Downlink Shared Channel）
【００３６】
ｅＮＢが送信するＰＤＣＣＨを、ＬＴＥ−ＰＤＣＣＨ、または、第１のＰＤＣＣＨと称する。ｇＮＢが送信するＰＤＣＣＨを、ＮＲ−ＰＤＣＣＨ、または、第２のＰＤＣＣＨと称する。ｅＮＢが送信するＰＤＳＣＨを、ＬＴＥ−ＰＤＳＣＨ、または、第１のＰＤＳＣＨと称する。ｇＮＢが送信するＰＤＳＣＨを、ＮＲ−ＰＤＳＣＨ、または、第２のＰＤＳ
ＣＨと称する。ＬＴＥ−ＰＤＣＣＨは、ＥＰＤＣＣＨ（Enhanced Physical Downlink Control Channel）、ｓＰＤＳＣＨ（short Physical Downlink Control Channel）を含んで
もよい。
【００３７】
第１のＰＤＣＣＨは、第１のＰＤＳＣＨのスケジューリングのために用いられる下りリンク制御情報（Downlink Control Information: DCI）、および、第１のＰＵＳＣＨ（NR Physical Uplink Shared Channel）のスケジューリングのために用いられる下りリンク制御情報を送信するために用いられる。第２のＰＤＣＣＨは、第２のＰＤＳＣＨのスケジューリングのために用いられる下りリンク制御情報、および、第２のＰＵＳＣＨのスケジューリングのために用いられる下りリンク制御情報を送信するために用いられる。
【００３８】
ｅＮＢは第１の符号化方式によって下りリンク制御情報を符号化してもよい。すなわち、ｅＮＢは第１のＰＤＣＣＨで送信される下りリンク制御情報を第１の符号化方式によって符号化してもよい。ｇＮＢは第１の符号化方式とは異なる第２の符号化方式によって下りリンク制御情報を符号化してもよい。すなわち、ｇＮＢは第２のＰＤＣＣＨで送信される下りリンク制御情報を第２の符号化方式によって符号化してもよい。第１の符号化方式は畳み込み符号化であってもよい。第２の符号化方式はポーラー符号化であってもよい。
【００３９】
ＰＤＳＣＨは、下りリンクデータ（Downlink Shared Channel: DL-SCH）を送信するた
めに用いられる。端末装置１は、下りリンク制御情報を含むＰＤＣＣＨの受信／検出に基づいて、ＰＤＳＣＨをデコードしてもよい。
【００４０】
図１において、ｅＮＢから端末装置１への上りリンク２Ａの無線通信では、以下の上りリンク物理チャネルが用いられる。図１において、ｇＮＢから端末装置１への上りリンク２Ｂの無線通信では、以下の上りリンク物理チャネルが用いられる。上りリンク物理チャネルは、上位層から出力された情報を送信するために、物理層によって使用される。
・ＰＲＡＣＨ（Physical Random Access Channel）
・ＰＵＣＣＨ（Physical Uplink Control Channel）
・ＰＵＳＣＨ（Physical Uplink Shared Channel）
【００４１】
端末装置１がｅＮＢへ送信するＰＲＡＣＨを、ＬＴＥ−ＰＲＡＣＨ、または、第１のＰＲＡＣＨと称する。端末装置１がｇＮＢへ送信するＰＲＡＣＨを、ＮＲ−ＰＲＡＣＨ、または、第２のＰＲＡＣＨと称する。端末装置１がｅＮＢへ送信するＰＵＣＣＨを、ＬＴＥ−ＰＵＣＣＨ、または、第１のＰＵＣＣＨと称する。端末装置１がｇＮＢへ送信するＰＵＣＣＨを、ＮＲ−ＰＵＣＣＨ、または、第２のＰＵＣＣＨと称する。端末装置１がｅＮＢへ送信するＰＵＳＣＨを、ＬＴＥ−ＰＵＳＣＨ、または、第１のＰＵＳＣＨと称する。端末装置１がｇＮＢへ送信するＰＵＳＣＨを、ＮＲ−ＰＵＳＣＨ、または、第２のＰＵＳＣＨと称する。
【００４２】
ＰＲＡＣＨは、プリアンブル（プリアンブル系列）を伝送するために用いられる。ＰＲＡＣＨは、ランダムアクセスプロシージャのために用いられてもよい。
【００４３】
ＰＵＣＣＨは、上りリンク制御情報を送信するために用いられてもよい。上りリンク制御情報は、ＨＡＲＱ−ＡＣＫ（Hybrid Automatic Repeat reQuest ACKnowledgement）、
チャネル状態情報、および、スケジューリングリクエストを含んでもよい。該ＨＡＲＱ−ＡＣＫは、ＰＤＳＣＨ（下りリンクデータ）に対応し、且つ、ＡＣＫ（Acknowledgement
）またはＮＡＣＫ（Negative Acknowledgement）を示す。チャネル状態情報は、受信された信号、および／または、チャネルに基づいて生成される。ＬＴＥ−ＰＵＣＣＨで送信されるスケジューリングリクエストは、ＬＴＥ−ＰＵＳＣＨ（上りリンクデータ）のリソースの割り当てを要求することを示す。ＮＲ−ＰＵＣＣＨで送信されるスケジューリングリ
クエストは、ＮＲ−ＰＵＳＣＨ（上りリンクデータ）のリソースの割り当てを要求することを示す。
【００４４】
ＰＵＳＣＨは、上りリンクデータ（Uplink Shared Channel: UL-SCH、トランスポート
ブロック）、および／または、上りリンク制御情報を送信するために用いられてもよい。
【００４５】
以下、本実施形態の端末装置１の装置構成について説明する。
【００４６】
図４は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【００４７】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行なう。
【００４８】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００４９】
上位層処理部１０１が備えるスケジューリング部１０１３は、受信部１０５を介して受信した下りリンク制御情報に基づき、受信部１０５、および送信部１０７の制御を行なうために制御情報を生成し、制御部１０３に出力する。
【００５０】
送信電力制御部１０１５は、上りリンク物理チャネルの送信のための送信電力をセットする。送信電力制御部１０１５は、セットされた送信電力を用いて上りリンク物理チャネルを送信することを送信部１０７に指示する制御情報を生成し、制御部１０３に出力する。
【００５１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００５２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００５３】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guar
d Interval: GI）に相当する部分を除去し、ガードインターバルを除去した信号に対して高速フーリエ変換（Fast Fourier Transform: FFT）を行い、周波数領域の信号を抽出す
る。
【００５４】
多重分離部１０５５は、抽出した信号を下りリンク物理チャネル、および、下りリンク物理シグナルに、それぞれ分離する。また、多重分離部１０５５は、測定部１０５９から入力された伝搬路の推定値から、下りリンク物理チャネルの伝搬路の補償を行なう。また、多重分離部１０５５は、分離した下りリンク参照シグナルを測定部１０５９に出力する。
【００５５】
復調部１０５３、および、復号化部１０５１は、下りリンク制御情の復号を行い、復号した下りリンクデータ（トランスポートブロック）を上位層処理部１０１へ出力する。報復調部１０５３、および、復号化部１０５１は、下りリンク制御情報で通知された符号化率に関する情報、および、下りリンク制御情報で通知された変調方式に基づいて下りリンクデータ（トランスポートブロック）の復号を行い、復号した下りリンクデータ（トランスポートブロック）を上位層処理部１０１へ出力する。
【００５６】
測定部１０５９は、多重分離部１０５５から入力された下りリンク物理シグナルから、下りリンクのパスロスの測定、チャネル測定、および／または、干渉測定を行う。測定部１０５９は、測定結果に基づいて算出したチャネル状態情報、および、測定結果を上位層処理部１０１へ出力する。また、測定部１０５９は、下りリンク物理シグナルから下りリンクの伝搬路の推定値を算出し、多重分離部１０５５へ出力する。
【００５７】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００５８】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ等の変調方式で変調する。
【００５９】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【００６０】
多重部１０７５は、ＰＵＳＣＨのスケジューリングに用いられる情報に基づき、空間多重されるＰＵＳＣＨのレイヤーの数を決定し、ＭＩＭＯ  ＳＭ（Multiple Input Multiple Output Spatial Multiplexing）を用いることにより同一のＰＵＳＣＨで送信される複
数の上りリンクデータを、複数のレイヤーにマッピングし、このレイヤーに対してプレコーディング（precoding）を行なう。
【００６１】
多重部１０７５は、制御部１０３から入力された制御信号に従って、ＰＵＳＣＨの変調シンボルを離散フーリエ変換（Discrete Fourier Transform: DFT）する。また、多重部
１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００６２】
無線送信部１０７７は、多重された信号を逆高速フーリエ変換（Inverse Fast Fourier
Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００６３】
以下、本実施形態の基地局装置３の装置構成について説明する。
【００６４】
図５は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、送信電力御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【００６５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００６６】
上位層処理部３０１は、コアネットワーク装置３Ｂとメッセージの送受信を行う。上位層処理部３０１は、たの基地局装置３とメッセージの送受信を行う。他の基地局装置３は、マスターノード３Ｃおよびセカンダリーノード３Ｄを含んでもよい。
【００６７】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は、上位ノ
ードから取得し、送信部３０７に出力する。また、無線リソース制御部３０１１は、端末装置１各々の各種設定情報の管理をする。
【００６８】
上位層処理部３０１が備えるスケジューリング部３０１３は、受信したチャネル状態情報および測定部３０５９から入力された伝搬路の推定値やチャネルの品質などから、物理チャネル（ＮＲ−ＰＤＳＣＨおよびＮＲ−ＰＵＳＣＨ）を割り当てる周波数およびサブフレーム、物理チャネル（ＮＲ−ＰＤＳＣＨおよびＮＲ−ＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。スケジューリング部３０１３は、スケジューリング結果に基づき、物理チャネル（ＮＲ−ＰＤＳＣＨおよびＮＲ−ＰＵＳＣＨ）のスケジューリングに用いられる情報（例えば、下りリンク制御情報）を生成する。
【００６９】
上位層処理部３０１が備える送信電力制御部３０１５は、上りリンク物理チャネルの送信のための送信電力をセットするために用いられる送信電力制御情報（上位層のパラメータ、および／または、ＴＰＣコマンド）を生成する。送信電力制御部１０１５は、当該情報を送信することを送信部１０７に指示する制御情報を生成し、当該生成した制御情報と
当該送信電力制御情報を制御部１０３に出力する。
【００７０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００７１】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００７２】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【００７３】
多重分離部１０５５は、無線受信部３０５７から入力された信号をＮＲ−ＰＵＣＣＨ、ＮＲ−ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、測定部３０５９から入力された伝搬路の推定値から、ＮＲ−ＰＵＣＣＨとＮＲ−ＰＵＳＣＨの伝搬路の補償を行なう。また、多重分離部３０５５は、分離した上りリンク参照信号を測定部３０５９に出力する。
【００７４】
復調部３０５３は、ＮＲ−ＰＵＳＣＨを逆離散フーリエ変換（Inverse Discrete Fourier Transform: IDFT）し、変調シンボルを取得し、ＮＲ−ＰＵＣＣＨとＮＲ−ＰＵＳＣＨの変調シンボルそれぞれに対して、ＢＰＳＫ（Binary Phase Shift Keying）、ＱＰＳＫ
、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＮＲ−ＰＵＳＣＨで送信された複数の上りリンクデータの変調シンボルを分離する。
【００７５】
復号化部３０５１は、ＮＲ−ＰＵＣＣＨとＮＲ−ＰＵＳＣＨから、上りリンクデータと上りリンク制御情報を取得し、上りリンクデータと上りリンク制御情報を上位層処理部１０１へ出力する。測定部３０９は、多重分離部３０５５から入力された上りリンク参照信号から伝搬路の推定値、チャネルの品質などを測定し、多重分離部３０５５および上位層処理部３０１に出力する。
【００７６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＮＲ−ＰＤＣＣＨ、ＮＲ−ＰＤＳＣＨ、および下りリンク参照信号を多重して、送受信アンテナ３０９を介して端末装置１に信号を送信する。
【００７７】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ等の変調方式で変調する。
【００７８】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【００７９】
多重部３０７５は、空間多重されるＮＲ−ＰＤＳＣＨのレイヤーの数に応じて、１つのＮＲ−ＰＤＳＣＨで送信される１つまたは複数の下りリンクデータを、１つまたは複数のレイヤーにマッピングし、該１つまたは複数のレイヤーに対してプレコーディング（precoding）を行なう。多重部３７５は、下りリンク物理チャネルの信号と下りリンク参照信
号を送信アンテナポート毎に多重する。多重部３７５は、送信アンテナポート毎に、下りリンク物理チャネルの信号と下りリンク参照信号をリソースエレメントに配置する。
【００８０】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【００８１】
図４、および、図５における、部のそれぞれは、回路として構成されてもよい。例えば、送信部１０７は、送信回路１０７であってもよい。図４、および、図５における部は、少なくとも１つのプロセッサ、および、当該少なくとも１つのプロセッサと連結されるメモリとして構成されてもよい。
【００８２】
以下、セカンダリーノードを追加するための手順について説明する。図６は、本実施形態におけるセカンダリーノードを追加するための手順の一例を示す図である。
【００８３】
セカンダリーノード３Ｄを追加するための手順は、マスターノード３Ｃによって開始される。セカンダリーノード３Ｄを追加するための手順は、セカンダリーノード３Ｄから端末装置１に無線リソースを提供するためにセカンダリーノード３ＤにＵＥコンテキスト（UE context）を確立するために用いられる。
【００８４】
６００において、端末装置１は、コネクション確立手順を実行し、マスターノード３Ｃとのコネクションを確立する。６００において、端末装置１は、基地局装置３が送信しているシステムインフォメーションブロックタイプ１を受信してもよい。システムインフォメーションブロックタイプ１は、他のシステムインフォメーションのスケジューリングのために用いられてもよい。システムインフォメーションブロックタイプ１は、端末装置１がセルにアクセスを許可されているかどうかを評価するときのための情報を含んでもよい。
【００８５】
６０２において、端末装置１は、ＵＥ能力情報６０３Ａと測定結果６０３Ｂをマスターノード３Ｃに送信する。ＵＥ能力情報６０３Ａは、端末装置１がサポートする機能を示す。測定結果６０３Ｂは、端末装置１が受信した信号を用いて測定した結果を示す。
【００８６】
６０４において、マスターノード３Ｃは、ＭＣＧのためのＲＲＣＣｏｎｎｅｃｔｉｏｎＲｅｃｏｎｆｉｇｕｒａｔｉｏｎメッセージ６０５を端末装置１に送信する。
【００８７】
６０６において、端末装置１は、ＲＲＣＣｏｎｎｅｃｔｉｏｎＲｅｃｏｎｆｉｇｕｒａｔｉｏｎメッセージ６０５に基づいてＭＣＧに対して新しい設定を適用し、マスターノード３ＣにＲＲＣＣｏｎｎｅｃｔｉｏｎＲｅｃｏｎｆｉｇｕｒａｔｉｏｎＣｏｍｐｌｅｔｅメッセージ６０７を送信する。
【００８８】
６０８において、マスターノード３Ｃは、無線リソースを割り当てることをセカンダリーノード３Ｄに要求することを決定し、さらに、追加要求メッセージ６０９をセカンダリーノード３Ｄに送信する。追加要求メッセージ６０９は、マスターノード３Ｃがセカンダリーノード３Ｄに要求するＳＣＧの設定、ＵＥ能力情報６０３Ａ、測定結果６０３Ｂ、ＲＲＣＣｏｎｎｅｃｔｉｏｎＲｅｃｏｎｆｉｇｕｒａｔｉｏｎメッセージ６０５、および、ＵＥ能力協調結果の一部、または、全部を少なくとも含んでもよい。
【００８９】
６１０において、セカンダリーノード３Ｄが無線リソースの要求を承認できる場合、セカンダリーノード３Ｃは無線リソースを割り当て、追加要求承認メッセージ６１１をマスターノード３Ｃに送信する。セカンダリーノード３Ｃは、測定結果６０３Ｂに基づいて、ＳＣＧのプライマリーセカンダリーセルとＳＣＧのセカンダリーセルを決定してもよい。追加要求承認メッセージ６１１は、セカンダリーノードが提供する無線アクセス技術のＲＲＣ設定メッセージを含む。該ＲＲＣ設定メッセージは、ＳＣＧのためのＲＲＣＣｏｎｎｅｃｔｉｏｎＲｅｃｏｎｆｉｇｕｒａｔｉｏｎメッセージ６１３を含む。該ＲＲＣＣｏｎｎｅｃｔｉｏｎＲｅｃｏｎｆｉｇｕｒａｔｉｏｎメッセージ６１３は、該決定したプライマリーセカンダリーセルに関する設定と該決定したセカンダリーセルに関する設定を少なくとも含む。
【００９０】
６１２において、マスターノード３Ｃは、ＳＣＧのためのＲＲＣＣｏｎｎｅｃｔｉｏｎＲｅｃｏｎｆｉｇｕｒａｔｉｏｎメッセージ６１３を端末装置１に送信する。ここで、マスターノード３Ｃは、セカンダリーノードから受信したＲＲＣＣｏｎｎｅｃｔｉｏｎＲｅｃｏｎｆｉｇｕｒａｔｉｏｎメッセージ６１３を修正しない。
【００９１】
６１４において、端末装置１は、ＲＲＣＣｏｎｎｅｃｔｉｏｎＲｅｃｏｎｆｉｇｕｒａｔｉｏｎメッセージ６１３に基づいてＳＣＧに対して新しい設定を適用し、マスターノード３ＣにＲＲＣＣｏｎｎｅｃｔｉｏｎＲｅｃｏｎｆｉｇｕｒａｔｉｏｎＣｏｍｐｌｅｔｅメッセージ６１５を送信する。
【００９２】
６１６において、マスターノード３Ｃは、再設定完了メッセージ６１７の送信を介して、端末装置１がＲＲＣＣｏｎｎｅｃｔｉｏｎＲｅｃｏｎｆｉｇｕｒａｔｉｏｎメッセージ６１３に基づく再設定手順を成功裏に完了したことを通知する。
【００９３】
６１８において、端末装置１は、セカンダリーノード３Ｄのプライマリーセカンダリーセルとの同期を取得するために、ランダムアクセス手順６１９を開始する。
【００９４】
以下、サービングセルｃのためのサブフレームｉにおけるＰＵＳＣＨ送信のための送信電力ＰＰＵＳＣＨ，ｃ（ｉ）の設定について説明をする。
【００９５】
図７は、本実施形態におけるＰＵＳＣＨ送信のための送信電力を決定する方法を示すフロー図である。Ｓ７００において、サービングセル毎に、端末装置１はサービングセルｃのための設定最大出力電力（ｃｏｎｆｉｇｕｒｅｄ  ｍａｘｉｍｕｍ  ｏｕｔｐｕｔ  ｐｏｗｅｒ  ｆｏｒ  ｓｅｒｖｉｎｇ  ｃｅｌｌ  ｃ）ＰＣＭＡＸ，ｃに少なくとも基づいてサービングセルｃのためのサブフレームｉにおけるＰＵＳＣＨ送信のための送信電力ＰＰＵＳＣＨ，ｃ（ｉ）を計算する。端末装置１は以下の数式（１）に基づいてサービング
セルｃのためのサブフレームｉにおけるＰＵＳＣＨ送信のための送信電力ＰＰＵＳＣＨ，ｃ（ｉ）を計算してもよい。
【００９６】
【数１】
2019062343.tif 000003
【００９７】
ｍｉｎ｛・｝は、入力された値のうち最小の値を返す関数である。ＭＰＵＳＣＨ，ｃ（ｉ）は、サービングセルｃおよびサブフレームｉのためのＰＵＳＣＨのリソース割り当ての帯域幅である。該帯域幅はリソースブロックの数によって表現される。ＰＯ＿ＰＵＳＣＨ，ｃ（１）は、サービングセルｃのためのパラメータＰＯ＿ＮＯＭＩＮＡＬ＿ＰＵＳＣＨ，ｃ（１）とサービングセルｃのためのパラメータＰＯ＿ＵＥ＿ＰＵＳＣＨ，ｃ（１）の和で構成されるパラメータである。パラメータＰＯ＿ＮＯＭＩＮＡＬ＿ＰＵＳＣＨ，ｃ（１）とパラメータＰＯ＿ＵＥ＿ＰＵＳＣＨ，ｃ（１）は上位層によって提供される。αｃ（ｉ）は、上位層によって提供されるパラメータである。αｃ（ｉ）は、０、１、または、０より大きく１より小さい値である。ＰＬｃは、サービングセルｃのために端末装置１によって計算される下りリンクパスロスである。ΔＴＦ，ｃの値は、リソースエレメントの数、および、トランスポートブロックのサイズに少なくとも基づいて決定される。ｆｃ（ｉ）は、下りリンク制御情報に含まれるＴＰＣ（Ｔｒａｎｓｍｉｓｓｉｏｎ  Ｐｏｗｅｒ  Ｃｏｎｔｒｏｌ）コマンドに少なくとも基づいて与えられる。
【００９８】
サブフレームｉにおけるＰＵＳＣＨ送信のための送信電力ＰＰＵＳＣＨ，ｃ（ｉ）の総和（ΣＰＰＵＳＣＨ，ｃ（ｉ））が総合設定出力電力ＰＣＭＡＸを超えない場合（Ｓ７０２−ＮＯ）、送信電力ＰＰＵＳＣＨ，ｃ（ｉ）の設定に関する処理を終了する。
【００９９】
端末装置１の総合送信電力が総合設定出力電力（ｔｏｔａｌ  ｃｏｎｆｉｇｕｒｅｄ  ｍａｘｉｍｕｍ  ｏｕｔｐｕｔ  ｐｏｗｅｒ  ｆｏｒ  ｓｅｒｖｉｎｇ  ｃｅｌｌ  ｃ）ＰＣＭＡＸを超える場合（Ｓ７０２−ＹＥＳ）、端末装置１は、以下の不等式（２）を満たすように、サブフレームｉにおけるサービングセルｃのためのＰＵＳＣＨ送信のための送信電力ＰＰＵＳＣＨ，ｃ（ｉ）をスケールダウンし（Ｓ７０４）、送信電力ＰＰＵＳＣＨ，ｃ（ｉ）の設定に関する処理を終了する。端末装置１がサブフレームｉにおいてＰＵＣＣＨを送信しない場合、端末装置１の総合送信電力はステップＳ７００において計算された送信電力ＰＰＵＳＣＨ，ｃ（ｉ）の総和（ΣＰＰＵＳＣＨ，ｃ（ｉ））であってもよい。
【０１００】
【数２】
2019062343.tif 000004
【０１０１】
ｐＣＭＡＸは、総合最大設定出力電力ＰＣＭＡＸのリニア値（ｌｉｎｅａｒ  ｖａｌｕｅ）である。ｐＰＵＳＣＨ，ｃ（ｉ）は、サービングセルｃのためのサブフレームｉにおけるＰＵＳＣＨ送信のための送信電力ＰＰＵＳＣＨ，ｃ（ｉ）のリニア値である。ｐＰＵＣＣＨ（ｉ）は、サブフレームｉにおけるＰＵＳＣＨ送信のための送信電力ＰＰＵＣＣＨ（ｉ）のリニア値である。サブフレームｉにおいてＰＵＣＣＨが送信されない場合、ｐＰＵＣＣＨ（ｉ）は０である。ｗ（ｉ）は、サービングセルｃのためのｐＰＵＳＣＨ，ｃ（ｉ）のスケーリングファクターである。一部のサービングセルｃのためのｗ（ｉ）は０であってもよい。ｗ（ｉ）が０よりも大きい場合、ｗ（ｉ）は、残りのサービングセルｃに
わたって同じである（ｓａｍｅ  ａｃｃｒｏｓｓ  ｔｈｅ  ｒｅｍａｉｎｉｎｇ  ｓｅｒｖｉｎｇ  ｃｅｌｌｓ）。ｗ（ｉ）は０から１の間の値にセットされてもよい。ｗ（ｉ）は０または１であってもよい。
【０１０２】
以下、サービングセルｃのための設定最大出力電力ＰＣＭＡＸ，ｃのセッティングについて説明をする。
【０１０３】
パラメータＰ−Ｍａｘ２が設定されていない場合、サービングセルｃのための設定最大出力電力ＰＣＭＡＸ，ｃはサービングセルｃのためのパラメータＰ−Ｍａｘに少なくとも基づいて設定されてもよい。パラメータＰ−Ｍａｘ２が設定されている場合、サービングセルｃのための設定最大出力電力ＰＣＭＡＸ，ｃはサービングセルｃのためのパラメータＰ−ＭａｘとパラメータＰ−Ｍａｘ２に少なくとも基づいて設定されてもよい。設定最大出力電力ＰＣＭＡＸ，ｃはサブフレーム毎に計算されてもよい。
【０１０４】
サービングセルｃのための設定最大出力電力ＰＣＭＡＸ，ｃは以下の不等式（３）によって表現される範囲内にセットされてもよい。
【０１０５】
【数３】
2019062343.tif 000005
【０１０６】
パラメータＰ−Ｍａｘ２が設定されていない場合、ＰＣＭＡＸ＿Ｌ，ｃは数式（４）によって与えられてもよく、且つ、とＰＣＭＡＸ＿Ｈ，ｃは数式（５）に基づいて与えられてもよい。
【０１０７】
【数４】
2019062343.tif 000006
【数５】
2019062343.tif 000007
【０１０８】
パラメータＰ−Ｍａｘ２が設定されている場合、ＰＣＭＡＸ＿Ｌ，ｃは数式（６）によって与えられてもよく、且つ、とＰＣＭＡＸ＿Ｈ，ｃは数式（７）に基づいて与えられてもよい。
【０１０９】
【数６】
2019062343.tif 000008
【数７】
2019062343.tif 000009
【０１１０】
ｍａｘ｛・｝は、入力された値のうち最大の値を返す関数である。ＰＥＭＡＸは、端末装置１のためのパラメータＰ−Ｍａｘ２によって与えられる値である。ＰＥＭＡＸ，ｃは、サービングセルｃのためのパラメータＰ−Ｍａｘによって与えられる値である。ＰＰｏｗｅｒＣｌａｓｓは、端末装置１の最大送信電力である。端末装置１の最大送信電力は端末装置１の電力クラスに対応してもよい。端末装置１は、端末装置１の電力クラスを示すＵＥ能力情報６０３Ａをマスターノード３Ｃに送信してもよい。端末装置１が所定の電力
クラスである場合、ＵＥ能力情報６０３Ａは端末装置１の電力クラスを示す情報を含まなくてもよい。マスターノード３Ｃ、および、セカンダリーノード３Ｃは、ＵＥ能力情報６０３Ａに端末装置１の電力クラスを示す情報が含まれていないことに基づいて、端末装置１が所定の電力クラスであると判断してもよい。ＭＰＲｃとＡ−ＭＰＲｃとΔＴＣ，ｃとΔＴＩＢ，ｃとΔＴＣ，ｃとΔＴＰｒｏＳｅは、許容値（ｔｏｌｅｒａｎｃｅ）である。Ｐ−ＭＰＲｃは、適用可能な電磁エネルギー吸収要件（ａｐｐｌｉｃａｂｌｅ  ｅｌｅｃｔｒｏｍａｇｎｅｔｉｃ  ｅｎｅｒｇｙ  ａｂｓｏｒｐｔｉｏｎ  ｒｅｑｕｉｒｅｍｅｎｔｓ）を遵守するために許可される最大出力電力削減である。
【０１１１】
以下、総合設定最大出力電力ＰＣＭＡＸのセッティングについて説明をする。
【０１１２】
パラメータＰ−Ｍａｘ２が設定されていない場合、総合設定最大出力電力ＰＣＭＡＸはパラメータＰ−Ｍａｘに少なくとも基づいて設定されてもよい。パラメータＰ−Ｍａｘ２が設定されている場合、総合設定最大出力電力ＰＣＭＡＸ，ｃはパラメータＰ−ＭａｘとパラメータＰ−Ｍａｘ２に少なくとも基づいて設定されてもよい。総合設定最大出力電力ＰＣＭＡＸ，ｃはサブフレーム毎に計算されてもよい。
【０１１３】
総合設定最大出力電力ＰＣＭＡＸは以下の不等式（８）によって表現される範囲内にセットされてもよい。
【０１１４】
【数８】
2019062343.tif 000010
【０１１５】
パラメータＰ−Ｍａｘ２が設定されていない場合、ＰＣＭＡＸ＿Ｌは数式（９）によって与えられてもよく、且つ、とＰＣＭＡＸ＿Ｈは数式（１０）に基づいて与えられてもよい。
【０１１６】
【数９】
2019062343.tif 000011
【数１０】
2019062343.tif 000012
【０１１７】
パラメータＰ−Ｍａｘ２が設定されている場合、ＰＣＭＡＸ＿Ｌは数式（１１）によって与えられてもよく、且つ、とＰＣＭＡＸ＿Ｈは数式（１２）に基づいて与えられてもよい。
【０１１８】
【数１１】
2019062343.tif 000013
【数１２】
2019062343.tif 000014
【０１１９】
ｐＥＭＡＸ，ｃは、ＰＥＭＡＸ，ｃのリニア値である。ｐＰｏｗｅｒＣｌａｓｓは、Ｐ
ＰｏｗｅｒＣｌａｓｓのリニア値である。ｍｐｒｃは、ＭＰＲｃのリニア値である。ａ−ｍｐｒｃは、Ａ−ＭＰＲｃのリニア値である。ｐｍｐｒｃは、Ｐ−ＭＰＲｃのリニア値である。ΔｔＣ，ｃは、ΔＴＣ，ｃのリニア値である。ΔｔＩＢ，ｃは、ΔＴＩＢ，ｃのリニア値である。ΔｔＣ，ｃは、ΔＴＣ，ｃのリニア値である。ΔｔＰｒｏＳｅは、ΔＴＰｒｏＳｅのリニア値である。
【０１２０】
以下、パラメータＰ−Ｍａｘについて説明をする。
【０１２１】
パラメータＰ−ＭａｘはＲＲＣ層のパラメータであってもよい。パラメータＰ−Ｍａｘはサービングセル毎に定義されてもよい。サービングセルのためのパラメータＰ−Ｍａｘは修正（再設定）されない。
【０１２２】
プライマリーセルのためのパラメータＰ−Ｍａｘは、システムインフォメーションブロックタイプ１に含まれてもよい。プライマリーセルのためのパラメータＰ−Ｍａｘは、パラメータＭｏｂｉｌｉｔｙＣｏｎｔｒｏｌＩｎｆｏまたはパラメータＲａｄｉｏＲｅｓｏｕｒｃｅＣｏｎｆｉｇＣｏｍｍｏｎに含まれてもよい。
【０１２３】
パラメータＭｏｂｉｌｉｔｙＣｏｎｔｒｏｌＩｎｆｏは、ＥＵＴＲＡ内におけるモビリティに関連するパラメータを含む。ＥＵＴＲＡ内のモビリティはＥＵＴＲＡ内のソースプライマリーセルからターゲットプライマリーセルへのハンドオーバを意味する。パラメータＭｏｂｉｌｉｔｙＣｏｎｔｒｏｌＩｎｆｏはＲＲＣＣｏｎｎｅｃｔｉｏｎＲｅｃｏｎｆｉｇｕｒａｔｉｏｎ６０５に含まれてもよい。端末装置１は、パラメータＭｏｂｉｌｉｔｙＣｏｎｔｒｏｌＩｎｆｏに少なくとも基づいてソースプライマリーセルからターゲットプライマリーセルにハンドオーバする。
【０１２４】
パラメータＲａｄｉｏＲｅｓｏｕｒｃｅＣｏｎｆｉｇＣｏｍｍｏｎは、パラメータＭｏｂｉｌｉｔｙＣｏｎｔｒｏｌＩｎｆｏに含まれてもよい。すなわち、パラメータＲａｄｉｏＲｅｓｏｕｒｃｅＣｏｎｆｉｇＣｏｍｍｏｎは、ＲＲＣＣｏｎｎｅｃｔｉｏｎＲｅｃｏｎｆｉｇｕｒａｔｉｏｎ６０５に含まれてもよい。パラメータＲａｄｉｏＲｅｓｏｕｒｃｅＣｏｎｆｉｇＣｏｍｍｏｎは、共通無線リソース設定を示すために用いられてもよい。例えば、パラメータＲａｄｉｏＲｅｓｏｕｒｃｅＣｏｎｆｉｇＣｏｍｍｏｎに含まれる共通無線リソース設定は、ランダムアクセスパラメータ、プライマリーセルのための静的な（static）物理層パラメータ、プライマリーセルのためのＰＯ＿ＮＯＭＩＮＡＬ＿ＰＵＳＣＨ，ｃ（１）を示すためのパラメータＰ０−ＮｏｍｉｎａｌＰＵＳＣＨ、および／または、プライマリーセルのためのαｃ（１）を示すためのパラメータａｌｐｈａを少なくとも含んでもよい。
【０１２５】
ＭＣＧのセカンダリーセルのためのパラメータＰ−Ｍａｘは、パラメータＲａｄｉｏＲｅｓｏｕｒｃｅＣｏｎｆｉｇＣｏｍｍｏｎＳＣｅｌｌに含まれてもよい。パラメータＲａｄｉｏＲｅｓｏｕｒｃｅＣｏｎｆｉｇＣｏｍｍｏｎＳＣｅｌｌは、ＲＲＣＣｏｎｎｅｃｔｉｏｎＲｅｃｏｎｆｉｇｕｒａｔｉｏｎ６０５に含まれてもよい。パラメータＲａｄｉｏＲｅｓｏｕｒｃｅＣｏｎｆｉｇＣｏｍｍｏｎＳＣｅｌｌは、共通無線リソース設定を示すために用いられてもよい。例えば、パラメータＲａｄｉｏＲｅｓｏｕｒｃｅＣｏｎｆｉｇＣｏｍｍｏｎＳＣｅｌｌに含まれる共通無線リソース設定は、セカンダリーセルのための静的な（Ｓｔａｔｉｃ）物理層パラメータ、セカンダリーセルのためのＰＯ＿ＮＯＭＩＮＡＬ＿ＰＵＳＣＨ、ｃ（１）を示すためのパラメータＰ０−ＮｏｍｉｎａｌＰＵＳＣＨ、および／または、セカンダリーセルのためのαｃ（１）を示すためのパラメータａｌｐｈａを少なくとも含んでもよい。端末装置１は、パラメータＲａｄｉｏＲｅｓｏｕｒｃｅＣｏｎｆｉｇＣｏｍｍｏｎＳＣｅｌｌに少なくとも基づいて、セカンダリーセルを追加してもよい。すなわち、セカンダリーセルのためのパラメータＰ−Ｍａｘは、該セカンダリー
セルが追加される場合に設定される。セカンダリーセルのためのパラメータＰ−Ｍａｘは、該セカンダリーセルを修正する場合に再設定されない。
【０１２６】
パラメータＲａｄｉｏＲｅｓｏｕｒｃｅＣｏｎｆｉｇＤｅｄｉｃａｔｅｄＳＣｅｌｌは、ＲＲＣＣｏｎｎｅｃｔｉｏｎＲｅｃｏｎｆｉｇｕｒａｔｉｏｎ６０５および／または６１３に含まれてもよい。パラメータＲａｄｉｏＲｅｓｏｕｒｃｅＣｏｎｆｉｇＤｅｄｉｃａｔｅｄＳＣｅｌｌは、セカンダリーセルのためのＵＥ固有の物理チャネル設定を示すために用いられてもよい。パラメータＰｈｙｓｉｃａｌＣｏｎｆｉｇＤｅｄｉｃａｔｅｄＳＣｅｌｌは、セカンダリーセルのためのＰＯ＿ＵＥ＿ＰＵＳＣＨ，ｃ（１）を示すためのパラメータＰ０−ＵＥ−ＰＵＳＣＨを少なくとも含んでもよい。
【０１２７】
以下、パラメータＰ−Ｍａｘ２について説明をする。
【０１２８】
パラメータＰ−Ｍａｘ２はＲＲＣ層のパラメータであってもよい。パラメータＰ−Ｍａｘ２はパラメータＲＲＣＣｏｎｎｅｃｔｉｏｎＲｅｃｏｎｆｉｇｕｒａｔｉｏｎ６１３に含まれてもよい。端末装置１のためのパラメータＰ−Ｍａｘ２は再設定されてもよい。基地局装置３は、パラメータＲＲＣＣｏｎｎｅｃｔｉｏｎＲｅｃｏｎｆｉｇｕｒａｔｉｏｎ６１３を送信した後に、他のパラメータＲＲＣＣｏｎｎｅｃｔｉｏｎＲｅｃｏｎｆｉｇｕｒａｔｉｏｎを送信することによって、端末装置１のためのパラメータＰ−Ｍａｘ２を再設定してもよい。マスターノード３Ｃは、セカンダリーノード３Ｄから受信した情報（例えば、追加要求承認メッセージ６１１）に少なくとも基づいて、端末装置１に対してパラメータＰ−Ｍａｘ２を設定、または、再設定してもよい。
【０１２９】
パラメータＰ−Ｍａｘ２は、パラメータＲａｄｉｏＲｅｓｏｕｒｃｅＣｏｎｆｉｇＤｅｄｉｃａｔｅｄに含まれてもよい。パラメータＲａｄｉｏＲｅｓｏｕｒｃｅＣｏｎｆｉｇＤｅｄｉｃａｔｅｄは、パラメータＲＲＣＣｏｎｎｅｃｔｉｏｎＲｅｃｏｎｆｉｇｕｒａｔｉｏｎ６１３に含まれてもよい。パラメータＲａｄｉｏＲｅｓｏｕｒｃｅＣｏｎｆｉｇＤｅｄｉｃａｔｅｄは、専用の（ｄｅｄｉｃａｔｅｄ）物理設定を修正するために用いられる。専用の設定を、端末装置１固有の（ｓｐｅｃｉｆｉｃ）設定とも称する。
【０１３０】
パラメータＰ−Ｍａｘ２は、パラメータＰｈｙｓｉｃａｌＣｏｎｆｉｇＤｅｄｉｃａｔｅｄに含まれてもよい。パラメータＰｈｙｓｉｃａｌＣｏｎｆｉｇＤｅｄｉｃａｔｅｄは、パラメータＲａｄｉｏＲｅｓｏｕｒｃｅＣｏｎｆｉｇＤｅｄｉｃａｔｅｄに含まれてもよい。すなわち、パラメータＰｈｙｓｉｃａｌＣｏｎｆｉｇＤｅｄｉｃａｔｅｄは、パラメータＲＲＣＣｏｎｎｅｃｔｉｏｎＲｅｃｏｎｆｉｇｕｒａｔｉｏｎ６１３に含まれてもよい。パラメータＰｈｙｓｉｃａｌＣｏｎｆｉｇＤｅｄｉｃａｔｅｄは、プライマリーセルのためのＵＥ固有の物理チャネル設定を示すために用いられてもよい。パラメータＰｈｙｓｉｃａｌＣｏｎｆｉｇＤｅｄｉｃａｔｅｄは、プライマリーセルのためのＰＯ＿ＵＥ＿ＰＵＳＣＨ、ｃ（１）を示すためのパラメータＰ０−ＵＥ−ＰＵＳＣＨを少なくとも含んでもよい。
【０１３１】
以下、ＭＣＧのための第１のＭＡＣエンティティにおけるＰＨＲ（Ｐｏｗｅｒ  Ｈｅａｄｒｏｏｍ  Ｒｅｐｏｒｔ）の手順について説明をする。図８は、本実施形態におけるＰＨＲの手順を説明するためのフロー図である。
【０１３２】
（Ｓ８００）端末装置１（ＭＣＧのための第１のＭＡＣエンティティ）は、パラメータＰ−Ｍａｘ２が設定または再設定されたことに少なくとも基づいてＰＨＲをトリガーしてもよい。端末装置１（ＭＣＧのための第１のＭＡＣエンティティ）は、パラメータＰ−Ｍａｘが設定または再設定されたとしてもＰＨＲをトリガーしなくてもよい。
【０１３３】
（Ｓ８００）において、端末装置１（ＭＣＧのための第１のＭＡＣエンティティ）は、総合設定最大出力電力ＰＣＭＡＸの変化量に基づいてＰＨＲをトリガーしてもよい。例えば、端末装置１（ＭＣＧのための第１のＭＡＣエンティティ）は、ＰＨＲが直近で（最後に）トリガー（または送信）されたサブフレームｉの総合設定最大出力電力ＰＣＭＡＸに対して、サブフレームｉ＋ｎの総合設定最大出力電力ＰＣＭＡＸが所定の値よりも大きく変化しているとすれば、端末装置１（ＭＣＧのための第１のＭＡＣエンティティ）は、サブフレームｉ＋ｎにおいてＰＨＲをトリガーしてもよい。
【０１３４】
（Ｓ８００）において、端末装置１（ＭＣＧのための第１のＭＡＣエンティティ）は、設定最大出力電力ＰＣＭＡＸ，ｃの変化量に基づいてＰＨＲをトリガーしてもよい。例えば、端末装置１（ＭＣＧのための第１のＭＡＣエンティティ）は、ＰＨＲが直近で（最後に）トリガー（または送信）されたサブフレームｉの設定最大出力電力ＰＣＭＡＸ，ｃに対して、サブフレームｉ＋ｎの設定最大出力電力ＰＣＭＡＸ，ｃが所定の値よりも大きく変化しているとすれば、端末装置１（ＭＣＧのための第１のＭＡＣエンティティ）は、サブフレームｉ＋ｎにおいてＰＨＲをトリガーしてもよい。
【０１３５】
（Ｓ８００）において、端末装置１（ＭＣＧのための第１のＭＡＣエンティティ）は、設定最大出力電力ＰＣＭＡＸ，ｃの算出に用いられた許容値の変化量に基づいてＰＨＲをトリガーしてもよい。例えば、端末装置１（ＭＣＧのための第１のＭＡＣエンティティ）は、ＰＨＲが直近で（最後に）トリガー（または送信）されたサブフレームｉの設定最大出力電力ＰＣＭＡＸ，ｃの算出に用いられた許容値に対して、サブフレームｉ＋ｎの設定最大出力電力ＰＣＭＡＸ，ｃの算出に用いられた許容値が所定の値よりも大きく変化しているとすれば、端末装置１（ＭＣＧのための第１のＭＡＣエンティティ）は、サブフレームｉ＋ｎにおいてＰＨＲをトリガーしてもよい。
【０１３６】
（Ｓ８００）において、端末装置１（ＥＵＴＲＡのＭＣＧのための第１のＭＡＣエンティティ）は、ＥＵＴＲＡに属するプライマリーセカンダリーセルが追加されたことに少なくとも基づいてＰＨＲをトリガーしてもよい。端末装置１（ＥＵＴＲＡのＭＣＧのための第１のＭＡＣエンティティ）は、ＮＲに属するプライマリーセカンダリーセルが追加されたとしてもＰＨＲをトリガーしなくてもよい。
【０１３７】
（Ｓ８００）において、端末装置１（ＭＣＧのための第１のＭＡＣエンティティ）は、ＭＣＧのセカンダリーセルが活性化されたことに少なくとも基づいてＰＨＲをトリガーしてもよい。
【０１３８】
（Ｓ８００）において、端末装置１（ＥＵＴＲＡのＭＣＧのための第１のＭＡＣエンティティ）は、ＥＵＴＲＡのＭＣＧのための第１のＭＡＣエンティティに属するセカンダリーセルが活性化されたことに少なくとも基づいてＰＨＲをトリガーしてもよい。
【０１３９】
（Ｓ８００）において、端末装置１（ＥＵＴＲＡのＭＣＧのための第１のＭＡＣエンティティ）は、ＥＵＴＲＡのＳＣＧのための第２のＭＡＣエンティティに属するセカンダリーセルが活性化されたことに少なくとも基づいてＰＨＲをトリガーしてもよい。端末装置１（ＥＵＴＲＡのＭＣＧのための第１のＭＡＣエンティティ）は、ＮＲのＳＣＧための第２のＭＡＣエンティティに属するセカンダリーセルが活性化されたとしてもＰＨＲをトリガーしなくてもよい。
【０１４０】
端末装置１は、活性化されているセカンダリーセルのためのＰＤＣＣＨをモニタする。端末装置１は、非活性化されているセカンダリーセルのためのＰＤＣＣＨをモニタしない。端末装置１（ＭＣＧのための第１のＭＡＣエンティティ）は、ＭＣＧのサービングセルにおいて受信した情報に基づいて、ＭＣＧに属するセカンダリーセルを活性化または非活
性化してもよい。端末装置１（ＳＣＧのための第２のＭＡＣエンティティ）は、ＳＣＧのサービングセルにおいて受信した情報に基づいて、ＳＣＧに属するセカンダリーセルを活性化または非活性化してもよい。
【０１４１】
（Ｓ８００）端末装置１は、少なくとも１つのＰＨＲがトリガーされ、且つ、キャンセルされていないことに少なくとも基づいて、ＰＨ（Ｐｏｗｅｒ  Ｈｅａｄｒｏｏｍ）を送信してもよい。ＭＣＧのための第１のＭＡＣエンティティは、少なくとも１つのＰＨＲがトリガーされ、且つ、キャンセルされていないことに少なくとも基づいて、物理層からＰＨ（Ｐｏｗｅｒ  Ｈｅａｄｒｏｏｍ）の値を取得し、且つ、‘Ｍｕｌｔｉｐｌｅｘｉｎｇ
ａｎｄ  Ａｓｓｅｍｂｌｙ’エンティティにＰＨＲ  ＭＡＣ  ＣＥを生成および送信するよう指示してもよい。ＰＨＲ  ＭＡＣ  ＣＥは、物理層から取得したＰＨの値を示す情報である。ここで、ＭＡＣエンティティと‘Ｍｕｌｔｉｐｌｅｘｉｎｇ  ａｎｄ  Ａｓｓｅｍｂｌｙ’エンティティはＭＡＣ層のエンティティである。ここで、該ＰＨは、ＭＣＧのサービングセルｃのそれぞれのためのＰＨを含んでもよい。ここで、該ＰＨは、ＥＵＴＲＡのＳＣＧのサービングセルｃのそれぞれのためのＰＨを含んでもよい。ここで、該ＰＨは、ＮＲのＳＣＧのサービングセルｃのそれぞれのためのＰＨを含まない。
【０１４２】
以下、ＰＨの計算方法について説明をする。ＰＨをタイプ１ＰＨとも称する。
【０１４３】
端末装置１（物理層）は、ＰＨの計算のために設定最大出力電力ＰＣＭＡＸ、ｃを少なくとも用いる。端末装置１は、ＰＨの計算のために総合設定最大出力電力ＰＣＭＡＸを用いない。端末装置１がサービングセルｃのサブフレームｉにおいてＰＵＣＣＨを送信せず、且つ、ＰＵＳＣＨを送信する場合、端末装置１は以下の数式（１３）に基づいてサービングセルｃのためのサブフレームｉにおけるＰＨを計算してもよい。
【０１４４】
【数１３】
2019062343.tif 000015
【０１４５】
以下、本実施形態における、端末装置１および基地局装置３の種々の態様について説明する。
【０１４６】
（１）本実施形態の第１の態様は、端末装置１であって、パラメータＰ−Ｍａｘ２が設定されない場合、パラメータＰ−Ｍａｘに少なくとも基づいてサービングセルｃのための設定最大送信電力ＰＣＭＡＸ，ｃを設定し、前記パラメータＰ−Ｍａｘ２が設定される場合、前記パラメータＰ−Ｍａｘと前記パラメータＰ−Ｍａｘ２に少なくとも基づいて前記設定最大送信電力ＰＣＭＡＸ，ｃを設定し、前記設定最大送信電力ＰＣＭＡＸ，ｃに少なくとも基づいて、ＰＵＳＣＨ送信のための送信電力ＰＰＵＳＣＨ，ｃ（ｉ）およびＰＨ（Ｐｏｗｅｒ  Ｈｅａｄｒｏｏｍ）の値を計算する送信電力制御部１０１５と、前記パラメータＰ−Ｍａｘと前記パラメータＰ−Ｍａｘ２のうち、前記パラメータＰ−Ｍａｘ２が設定または再設定されることに少なくとも基づいてＰＨＲ（Ｐｏｗｅｒ  Ｈｅａｄｒｏｏｍ
Ｒｅｐｏｒｔ）をトリガーする上位層処理部１０１と、前記ＰＨの値を示す情報（ＰＨＲ  ＭＡＣ  ＣＥ）を送信する送信部１０７と、を備える。
【０１４７】
（２）本実施形態の第２の態様は、基地局装置３であって、パラメータＰ−Ｍａｘ２の設定または再設定を指示する情報を、端末装置１に送信する送信部３０７と、ＰＨ（Ｐｏｗｅｒ  Ｈｅａｄｒｏｏｍ）の値を示す情報（ＰＨＲ  ＭＡＣ  ＣＥ）を、前記端末装置１から受信する受信部３０５と、を備え、前記パラメータＰ−Ｍａｘ２が設定されない場合、前記端末装置１によってパラメータＰ−Ｍａｘに少なくとも基づいてサービングセルｃのための設定最大送信電力ＰＣＭＡＸ，ｃが設定され、前記パラメータＰ−Ｍａｘ２が
設定される場合、前記端末装置１によって前記パラメータＰ−Ｍａｘと前記パラメータＰ−Ｍａｘ２に少なくとも基づいて前記設定最大送信電力ＰＣＭＡＸ，ｃが設定され、ＰＵＳＣＨ送信のための送信電力ＰＰＵＳＣＨ，ｃ（ｉ）および前記ＰＨの値は、前記端末装置１によって前記設定最大送信電力ＰＣＭＡＸ，ｃに少なくとも基づいて計算され、前記パラメータＰ−Ｍａｘ２の設定または再設定の指示に少なくとも基づいて、前記端末装置１においてＰＨＲ（Ｐｏｗｅｒ  Ｈｅａｄｒｏｏｍ  Ｒｅｐｏｒｔｉｎｇ）がトリガーされる。
【０１４８】
これにより、端末装置１と基地局装置３との間において、情報が効率的に伝送される。
【０１４９】
本実施形態に関わる基地局装置３は、複数の装置（例えば、マスターノード３Ｃとセカンダリーノード３Ｄなど）から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５１】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５２】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１５３】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１５４】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジ
タルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１５５】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５７】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
１０１５  送信電力制御部
３０１１  無線リソース制御部
３０１３  スケジューリング部
３０１５  送信電力制御部
【図１】
2019062343.tif 000016
【図２】
2019062343.tif 000017
【図３】
2019062343.tif 000018
【図４】
2019062343.tif 000019
【図５】
2019062343.tif 000020
【図６】
2019062343.tif 000021
【図７】
2019062343.tif 000022
【図８】
2019062343.tif 000023